(57)【特許請求の範囲】
【請求項１】
使用者の手に空気を吹きつけて乾燥させる手乾燥装置本体が取付けられる洗面カウンタにおいて、手洗を行うための複数の手洗部を有し、樹脂で成形されたカウンタ部と、前記複数の手洗部の間であって前記カウンタ部の手前側の端部から一体的に垂下して形成された垂下部と、を備え、前記垂下部には、前記手乾燥装置本体が取付される取付金具を固定可能な固定部が形成されていることを特徴とする洗面カウンタ。
【請求項２】
前記取付金具には、前記垂下部の前面と当接する当接面が形成されており、前記取付金具は、前記当接面の一部が前記垂下部の下端より下方側に延出して前記固定部に固定されることを特徴とする請求項１に記載の洗面カウンタを備えた洗面設備。
【請求項３】
前記手乾燥装置本体が係止部に係止された状態において、前記カウンタ部の上面と前記手乾燥装置本体の上端が同じ高さであることを特徴とする請求項１又は請求項２に記載の洗面カウンタを備えた洗面設備。
【請求項４】
前記垂下部と前記取付金具の間における上側に水密部材が設けられていることを特徴とする請求項１乃至請求項３のいずれか１項に記載の洗面カウンタを備えた洗面設備。
【請求項５】
前記固定部は、前記カウンタ部の手前側から奥側に凹んだ凹部の端部から一体的に垂下して形成された垂下部に形成されていることを特徴とする請求項１乃至請求項４のいずれか１項に記載の洗面カウンタを備えた洗面設備。
【発明の詳細な説明】
【技術分野】
【０００１】
本発明は、使用者の手に空気を吹きつけて乾燥させる手乾燥装置本体が取付けられる洗面カウンタ及び洗面カウンタを備えた洗面設備に関する。
【背景技術】
【０００２】
近年、特に公共のトイレ等においては、手洗い後に手に付着している水を拭き取るためのペーパータオルを削減する傾向が強まっており、ペーパータオルの代わりに手乾燥装置本体を設置する場合が増えている。このような手乾燥装置本体は、手洗を行うための洗面ボウルが配置された手洗場所から少し離れた壁面や、洗面カウンタから離れたトイレ空間の壁面等に設置されている。
【先行技術文献】
【特許文献】
【０００３】
【特許文献１】特開２０１０−２２７３２０号公報
【発明の概要】
【発明が解決しようとする課題】
【０００４】
洗面ボウルが配置された手洗場所は、オフィスや店舗といった公共の場に複数並べて配置されていることが多く、手洗部で使用者が手を洗った後、使用者の手から水滴が落ちる前に、手洗場所から手乾燥装置本体の手乾燥室に手をスムーズに移動できるように、手洗場所の間に手乾燥装置本体を配置させたいという要望がある。
【０００５】
そこで、使用者の手から水滴を床面に落とさずに、洗面場所から手乾燥室に手をよりスムーズに移動できるように、カウンタ部の上面に複数の洗面部を並べて配置させ、手洗場所の間に形成した洗面カウンタの凹部に手乾燥装置本体を取付け、洗面場所から手乾燥室に手を横に移動できる洗面カウンタが考えられる。
【０００６】
しかしながら、手乾燥装置本体を洗面カウンタの凹部に取付ける際、通常洗面カウンタは樹脂で成形され、ビスで直接固定すると割れが生じる恐れがあるため、ボルトナットで固定することになるが、洗面カウンタを設置した後には、洗面カウンタの裏側に手が入れられず、洗面カウンタに手乾燥装置本体をボルトナットで固定するのは難しいという問題があった。
【０００７】
本発明はこのような課題に鑑みてなされたものであり、その目的は、洗面カウンタを所定の位置に設置した後においても、取付金具を介して手乾燥装置本体をカウンタ部の凹部に取付できるとともに、洗面カウンタの凹部を手乾燥装置本体に近づける洗面カウンタ及び洗面カウンタを備えた洗面設備を提供することにある。
【課題を解決するための手段】
【０００８】
上記課題を解決するために本発明に係る洗面カウンタは、使用者の手に空気を吹きつけて乾燥させる手乾燥装置本体が取付けられる洗面カウンタにおいて、手洗を行うための複数の手洗部を有し、樹脂で成形されたカウンタ部と、前記複数の手洗部の間であって前記カウンタ部の手前側の端部から一体的に垂下して形成された垂下部と、を備え、前記垂下部には、前記手乾燥装置本体が取付される取付金具を固定可能な固定部が形成されていることを特徴とする。
【０００９】
洗面カウンタが樹脂で成形された場合、ビスで直接固定すると割れが生じる恐れがある。そこで、ボルトナットで固定することが考えられるが、洗面カウンタを設置した後には、洗面カウンタの裏側に手が入れられず、ボルトナットで固定するのも困難である。
【００１０】
本発明では、洗面カウンタが樹脂で成形されても、垂下部に取付金具を固定可能である固定部が形成されているため、洗面カウンタを設置する前に予め取付金具を垂下部に固定することが可能となり、固定部に固定された取付金具を介して手乾燥装置本体をカウンタ部の凹部に取付けることができる。
【００１１】
また、本発明に係る洗面カウンタを備えた洗面設備は、前記取付金具には、前記垂下部の前面と当接する当接面が形成されており、前記取付金具は、前記当接面の一部が前記垂下部の下端より下方側に延出して前記固定部に固定されることも好ましい。
【００１２】
この好ましい様態では、取付金具が当接面の一部が垂下部の下端より下方側に延出して固定部に固定されることによって、手乾燥装置本体の荷重が取付金具の当接面から垂下部の前面に伝わることになるとともに、手乾燥装置本体の荷重の一部は取付金具の当接面から垂下部の下端より下方側に配置される洗面設備の一部にも伝わることになるため、安定した状態で手乾燥装置本体をカウンタ部の凹部に取付けることができる。
【００１３】
また、本発明に係る洗面カウンタを備えた洗面設備は、前記手乾燥装置本体が係止部に係止された状態において、前記カウンタ部の上面と前記手乾燥装置本体の上端が同じ高さであることも好ましい。
【００１４】
この好ましい様態では、カウンタ部の上面と手乾燥装置本体の上端が同じ高さであることによって、洗面部から手乾燥装置本体に手をスムーズに移動できるようになるため、使用者の手から落ちた水滴が床面に落ちることを防止できる。
【００１５】
また、本発明に係る洗面カウンタを備えた洗面設備は、前記垂下部と前記取付金具の間における上側には水密部材が設けられていることも好ましい。
【００１６】
この好ましい様態では、垂下部と取付金具の間における上側に水密部材が設けられることによって、使用者の手から落ちた水滴が垂下部と取付金具の間に侵入しないため、垂下部と取付金具の間に水が溜まることがなくカビや異臭の発生を防止することができる。
【００１７】
また、本発明に係る洗面カウンタを備えた洗面設備では、前記固定部は、前記カウンタ部の手前側に形成された凹部の端部から一体的に垂下して形成された垂下部に形成されていることも好ましい。
【００１８】
この好ましい態様では、手乾燥装置本体を凹部に取付けられることによって、洗面部から手乾燥装置本体に手をよりスムーズに移動できるようになるため、使用者の手から落ちた水滴が床面に落ちることをより防止できる。
【発明の効果】
【００１９】
本発明によれば、洗面カウンタを所定の位置に設置した後においても、取付金具を介して手乾燥装置本体をカウンタ部の凹部に取付できる洗面カウンタ及び洗面カウンタを備えた洗面設備を提供することができる。
【図面の簡単な説明】
【００２０】
【図１】手乾燥装置本体を洗面カウンタに設置した外観を示す斜視図である。
【図２】手乾燥装置本体を取外した際の洗面カウンタを示した図である。
【図３】カウンタ凹部の垂下部の縦断面図である。
【図４】図２カウンタ凹部に取付金具を設置した図である。
【図５】図４カウンタ凹部に水密部材を設置した図である。
【図６】図５カウンタ凹部に手乾燥装置本体を設置した図である。
【図７】図４で示した取付金具の正面図である。
【図８】図４で示した取付金具の平面図である。
【図９】図４で示した取付金具の側面図である。
【発明を実施するための形態】
【００２１】
以下、添付図面を参照しながら本発明の実施の形態について説明する。説明の理解を容易にするため、各図面において同一の構成要素に対しては可能な限り同一の符号を付して、重複する説明は省略する。
【００２２】
図１は、手乾燥装置本体を洗面カウンタに設置した外観を示す斜視図である。また、図２は、手乾燥装置本体を取外した際の洗面カウンタを示した図である。
【００２３】
本実施形態の手乾燥装置本体８は、図１に示すように、水栓および洗面器を利用して手を洗った人が、濡れた手を乾燥するために使用するものである。手乾燥装置本体８は、ハウジング及び水受トレイを備えている。ハウジングには手乾燥室としての開口凹部が形成され、その開口凹部の下方には送風機が内蔵されている。開口凹部は上方に開口しており、使用者が手を差し入れるための開口部が形成されている。
【００２４】
手乾燥装置本体８を取り付けた状態で使用者に対して手前側となる正面側部材は、水平方向に直線状に略等間隔に列設された複数の第１ノズルを備えている。また、手乾燥装置本体８を壁面に取り付けた状態で使用者に対して壁面側となる背面側部材は、複数の第１ノズルと同様に水平方向に直線状に略等間隔に列設された複数の第２ノズルを備えている。複数の第１ノズル及び複数の第２ノズルは、送風機から送給される空気流を開口凹部内へ吹き出すためのノズルである。
【００２５】
本実施形態の洗面カウンタは、図２に示すように、手洗を行うための手洗部１を複数有し、樹脂で成形されたカウンタ部２と、手洗部１の間のカウンタ部２の手前側から奥側に凹んだ凹部３と、凹部３の端部から一体的に垂下して形成された垂下部４と、を備え、凹部３に位置する垂下部４には、手乾燥装置本体８が取付される取付金具６を、垂下部４に固定可能である固定部４ａが形成されているものである。
【００２６】
従来、手乾燥装置本体８を洗面カウンタの凹部に取付ける際、通常洗面カウンタは樹脂で成形されたものが多いため、ビスで手乾燥装置本体８を固定する取付金具６を垂下部４に固定するのは難しく、ボルトナットで固定することになるが、洗面カウンタを設置した後には、垂下部４と下方パネル面５上に隙間がなくなり、洗面カウンタの裏側に手が入れられず、洗面カウンタに手乾燥装置本体８をボルトナットで固定するのは難しいという問題があった。
【００２７】
そこで、本実施例の洗面カウンタは、図２に示すように、凹部３に位置する垂下部４には、手乾燥装置本体８が取付される取付金具６を、垂下部４に固定可能である固定部４ａが形成されることによって、洗面カウンタを所定の位置に設置する前に予め取付金具６を垂下部４に固定することが可能になるため、洗面カウンタを所定の位置に設置した後においても、取付金具６を介して手乾燥装置本体８をカウンタ部２の凹部３に取付けることができるようになる。
【００２８】
本実施例の洗面カウンタについて、より具体的に説明する。本実施形態の洗面カウンタは、図３、図４に示すとおり、カウンタ部２の凹部３において前記カウンタ部２の手前側の端部から垂下して形成されている垂下部４を設けているが、取付金具６には垂下部４の前面と当接する当接面６ｄが形成されることによって、手乾燥装置本体８の荷重が取付金具の当接面で垂下部４の前面に伝わるようになるため、安定した状態で手乾燥装置本体８をカウンタ部２の凹部３に取付けることができるようになる。
【００２９】
また、図５に示すように、取付金具６と垂下部４の間における上側に水密部材７が貼り付けられる。水密部材７を設けることによって、使用者の手から落ちた水滴が垂下部４と取付金具６の間に侵入しないため、垂下部４と取付金具６の間に水が溜まることがなくカビや異臭の発生を防止することができるようになる。また、手乾燥装置本体８の下方部を下方パネル面５にビス固定する場合、ビスと下方パネル面５の隙間への水侵入を防止することができ、水侵入により下方パネル面５が腐食し、ビス抜けにより手乾燥装置本体８が落下することを防止できる。
【００３０】
また、図５に示すように、本実施形態の取付金具６には、手乾燥装置本体８を係止する係止部６ａが形成され、取付金具６の係止部６ａに手乾燥装置本体８を取り付けられるようになっている。手乾燥装置本体８を係止する係止部６ａが取付金具６の上端から手前側に突出形成されることによって、手乾燥装置本体８を取付金具６の係止部６ａに係止するのみで手乾燥装置本体８をカウンタ部２の凹部３に容易に取付けることができるようになる。
【００３１】
また、図７で示すように、本実施形態の取付金具６には、係止部６ａ以外にも、垂下部固定穴６ｂ、下方パネル面部固定穴６ｃ、当接面６ｄ、ガイド６ｅ、ケガキ６ｆが形成される。垂下部固定穴６ｂは、取付金具６を垂下部４に固定する際にボルトを挿通するためのものであり、下方パネル面部固定穴６ｃは、取付金具６を下方パネル面部５にビス等を固定させるためのものである。また、水密部材７が貼りやすいよう、取付金具６にガイド６ｅを設け、ガイド６ｅの中心付近に、水密部材７の位置決めがしやすいようにケガキ６ｆを設けている。
【００３２】
つぎに、手乾燥装置本体８が取り付けられるまでの工程について詳細を説明する。
【００３３】
まず、洗面カウンタを所定の位置に設置する前に予め取付金具６を垂下部４に固定する。具体的には、カウンタ部２の固定部４ａと取付金具６の垂下部固定穴６ｂにボルトを挿通してナットでカウンタ部２と取付金具６を固定する。その後、洗面カウンタを所定の位置に設置する。
【００３４】
尚、カウンタ部２に手乾燥装置本体８を取付けた際、強度が足りない場合には、更に、取付金具６の取付面６ｄが垂下部４よりも下方側に位置させ、凹部３の下方に位置する下方パネル面部５と取付金具６の下方パネル面部固定穴６ｃにビス等で固定しても良い。そのようにすることで、垂下部４にかかる荷重を、下方パネル面５にも分散させることができる。
【００３５】
また、取付金具６を垂下部４に取り付けた後、取付金具６に設けられたガイド６ｅ、ケガキ６ｆを利用して、垂下部４と取付金具６の間における上側に水密部材７を取付ければ、垂下部４と取付金具６の間に水が溜まることがなくカビや異臭の発生を防止することができる。また、手乾燥装置本体８の下方部を下方パネル面５にビス固定する場合、ビスと下方パネル面５の隙間への水侵入を防止することができ、水侵入により下方パネル面５が腐食し、ビス抜けにより手乾燥装置本体８が落下することを防止できる。
【００３６】
次に、取付金具６の係止部６ａに手乾燥装置本体８を引っかける。ここで、本実施形態では、カウンタ部２の上面と手乾燥装置本体８の上端が同じ高さになる構成であり、洗面部１から手乾燥装置本体８に手をよりスムーズに移動できるようになるため、使用者の手から落ちた水滴が床面に落ちることをより防止でき、床面を衛生的に保つことができるようになる。
【００３７】
また、取付金具６の上端に形成された係止部６ａに手乾燥装置本体８を取り付け、手乾燥装置本体８の荷重が取付金具の当接面で垂下部４の前面に分散して伝わる構成としているため、安定した状態で手乾燥装置本体８をカウンタ部２の凹部３に取付けることができるようになる。
【００３８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３９】
１：手洗部
２：カウンタ部
３：凹部
４：垂下部
４ａ：固定部
５：下方パネル面部
６：取付金具
６ａ：係止部
６ｂ：垂下部固定穴
６ｃ：下方パネル面部固定穴
６ｄ：当接面
６ｅ：ガイド
６ｆ：ケガキ
７：水密部材
８：手乾燥装置本体
【図１】
0005849741.tif 000002
【図２】
0005849741.tif 000003
【図３】
0005849741.tif 000004
【図４】
0005849741.tif 000005
【図５】
0005849741.tif 000006
【図６】
0005849741.tif 000007
【図７】
0005849741.tif 000008
【図８】
0005849741.tif 000009
【図９】
0005849741.tif 000010